(57)【要約】【課題】サービス事業者の主導のもとで、携帯端末のユーザインタフェース画面を必要な期間変更することが可能になり、ユーザの作業負担増を防止可能な情報配信装置、携帯端末、情報配信方法およびユーザインタフェース設定方法を提供する。【解決手段】サーバ１は、携帯端末２から予め定められた項目についての状況を示す状況情報を受信する受信部１１と、受信部１１にて受信された状況情報が示す状況が、予め定められた特定状況であると、ユーザインタフェース画面を示すユーザインタフェース情報と、ユーザインタフェース画面の表示を終了するための終了条件を示す終了条件情報とを、携帯端末２に送信する情報管理部１２と、を含む。【選択図】図１
2010250729.tif 000002
【特許請求の範囲】
【請求項１】
携帯端末から、予め定められた項目についての状況を示す状況情報を受信する受信手段と、
前記受信手段にて受信された状況情報が示す状況が、予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理手段と、を含む情報配信装置。
【請求項２】
請求項１に記載の情報配信装置において、
前記情報管理手段は、前記携帯端末に前記ユーザインタフェース情報および前記終了条件情報を送信した後に、前記携帯端末に搭載された電子マネーで物品が購入された旨の購入情報を受信すると、前記終了条件情報に示された終了条件と異なる特定終了条件を示した特定終了条件情報を、前記携帯端末に送信する、情報配信装置。
【請求項３】
請求項１または２に記載の情報配信装置において、
前記情報管理手段は、前記状況情報が示す状況が前記特定状況であると、前記ユーザインタフェース画面を利用する期間を問い合わせる旨の問合せ情報を、前記携帯端末に送信し、その後、前記問合せ情報に対する応答を受信すると、当該応答にて示された期間が経過したことを前記終了条件とし、当該終了条件を示す終了条件情報と、前記ユーザインタフェース情報とを、前記携帯端末に送信する、情報配信装置。
【請求項４】
請求項３に記載の情報配信装置において、
前記情報管理手段は、前記応答にて示された期間に応じた特典を、前記携帯端末に送信する、情報配信装置。
【請求項５】
ユーザインタフェース画面を表示可能な携帯端末であって、
表示手段と、
請求項１から４のいずれか１項に記載の情報配信装置に、予め定められた項目についての状況を示す状況情報を送信する送信手段と、
前記情報配信装置から、ユーザインタフェース画面を示すユーザインタフェース情報と前記ユーザインタフェース画面の表示を終了するための終了条件を示す終了条件情報とを受信すると、当該ユーザインタフェース情報に基づいて前記ユーザインタフェース画面を前記表示手段に表示し、その後、自端末が前記終了条件情報にて示された終了条件を満たすと、前記ユーザインタフェース画面の表示を終了する制御手段と、を含む携帯端末。
【請求項６】
請求項５に記載の携帯端末において、
前記送信手段は、請求項２に記載の情報配信装置に前記状況情報を送信し、
前記制御手段は、前記情報配信装置から、前記終了条件情報に示された終了条件と異なる特定終了条件を示した特定終了条件情報を受信した場合、自端末が前記特定終了条件情報にて示された特定終了条件を満たすと、前記ユーザインタフェース画面の表示を終了する、携帯端末。
【請求項７】
請求項５に記載の携帯端末において、
前記送信手段は、請求項３または４に記載の情報配信装置に前記状況情報を送信し、
前記制御手段は、前記情報配信装置から、前記ユーザインタフェース画面を利用する期間を問い合わせる旨の問合せ情報を受信すると、前記期間を問い合わせる旨の問合せを出力し、その後、前記期間を示す期間情報を受け付けると、当該期間を示す応答を前記情報配信装置に送信する、携帯端末。
【請求項８】
情報配信装置と、ユーザインタフェース画面を表示可能な携帯端末と、を含む情報配信システムであって、
前記情報配信装置は、
前記携帯端末から、予め定められた項目についての状況を示す状況情報を受信する受信手段と、
前記受信手段にて受信された状況情報が示す状況が、予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理手段と、を含み、
前記携帯端末は、
表示手段と、
前記情報配信装置に、前記状況情報を送信する送信手段と、
前記情報配信装置から、前記ユーザインタフェース情報と前記終了条件情報とを受信すると、当該ユーザインタフェース情報に基づいて前記ユーザインタフェース画面を前記表示手段に表示し、その後、自端末が前記終了条件情報にて示された終了条件を満たすと、前記ユーザインタフェース画面の表示を終了する制御手段と、を含む、情報配信システム。
【請求項９】
請求項８に記載の情報配信システムにおいて、
前記情報管理手段は、前記携帯端末に前記ユーザインタフェース情報および前記終了条件情報を送信した後に、前記携帯端末に搭載された電子マネーで物品が購入された旨の購入情報を受信すると、前記終了条件情報に示された終了条件と異なる特定終了条件を示した特定終了条件情報を、前記携帯端末に送信し、
前記制御手段は、前記情報配信装置から、前記特定終了条件情報を受信した場合、自端末が前記特定終了条件情報にて示された特定終了条件を満たすと、前記ユーザインタフェース画面の表示を終了する、情報配信システム。
【請求項１０】
請求項８または９に記載の情報配信システムにおいて、
前記情報管理手段は、前記状況情報が示す状況が前記特定状況であると、前記ユーザインタフェース画面を利用する期間を問い合わせる旨の問合せ情報を、前記携帯端末に送信し、その後、前記問合せ情報に対する応答を受信すると、当該応答にて示された期間が経過したことを前記終了条件とし、当該終了条件を示す終了条件情報と、前記ユーザインタフェース情報とを、前記携帯端末に送信し、
前記制御手段は、前記情報配信装置から、前記問合せ情報を受信すると、前記期間を問い合わせる旨の問合せを出力し、その後、前記期間を示す期間情報を受け付けると、当該期間を示す応答を前記情報配信装置に送信する、情報配信システム。
【請求項１１】
請求項１０に記載の情報配信システムにおいて、
前記情報管理手段は、前記応答にて示された期間に応じた特典を、前記携帯端末に送信する、情報配信システム。
【請求項１２】
情報配信装置での情報配信方法であって、
携帯端末から、予め定められた項目についての状況を示す状況情報を受信する受信ステップと、
前記状況情報が示す状況が、予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理ステップと、を含む情報配信方法。
【請求項１３】
請求項１２に記載の情報配信方法において、
前記情報管理ステップでは、前記携帯端末に前記ユーザインタフェース情報および前記終了条件情報を送信した後に、前記携帯端末に搭載された電子マネーで物品が購入された旨の購入情報を受信すると、前記終了条件情報に示された終了条件と異なる特定終了条件を示した特定終了条件情報を、前記携帯端末に送信する、情報配信方法。
【請求項１４】
請求項１２または１３に記載の情報配信方法において、
前記情報管理ステップでは、前記状況情報が示す状況が前記特定状況であると、前記ユーザインタフェース画面を利用する期間を問い合わせる旨の問合せ情報を、前記携帯端末に送信し、その後、前記問合せ情報に対する応答を受信すると、当該応答にて示された期間が経過したことを前記終了条件とし、当該終了条件を示す終了条件情報と、前記ユーザインタフェース情報とを、前記携帯端末に送信する、情報配信方法。
【請求項１５】
請求項１４に記載の情報配信方法において、
前記情報管理ステップでは、前記応答にて示された期間に応じた特典を、前記携帯端末に送信する、情報配信方法。
【請求項１６】
ユーザインタフェース画面を表示可能な携帯端末でのユーザインタフェース設定方法であって、
請求項１から４のいずれか１項に記載の情報配信装置に、予め定められた項目についての状況を示す状況情報を送信する送信ステップと、
前記情報配信装置から、ユーザインタフェース画面を示すユーザインタフェース情報と前記ユーザインタフェース画面の表示を終了するための終了条件を示す終了条件情報とを受信すると、当該ユーザインタフェース情報に基づいて前記ユーザインタフェース画面を表示手段に表示し、その後、自端末が前記終了条件情報にて示された終了条件を満たすと、前記ユーザインタフェース画面の表示を終了する制御ステップと、を含むユーザインタフェース設定方法。
【請求項１７】
請求項１６に記載のユーザインタフェース設定方法において、
前記送信ステップでは、請求項２に記載の情報配信装置に前記状況情報を送信し、
前記制御ステップでは、前記情報配信装置から、前記終了条件情報に示された終了条件と異なる特定終了条件を示した特定終了条件情報を受信した場合、自端末が前記特定終了条件情報にて示された特定終了条件を満たすと、前記ユーザインタフェース画面の表示を終了する、ユーザインタフェース設定方法。
【請求項１８】
請求項１６に記載のユーザインタフェース設定方法において、
前記送信ステップでは、請求項３または４に記載の情報配信装置に前記状況情報を送信し、
前記制御ステップでは、前記情報配信装置から、前記ユーザインタフェース画面を利用する期間を問い合わせる旨の問合せ情報を受信すると、前記期間を問い合わせる旨の問合せを出力し、その後、前記期間を示す期間情報を受け付けると、当該期間を示す応答を前記情報配信装置に送信する、ユーザインタフェース設定方法。
【請求項１９】
コンピュータに、
携帯端末から、予め定められた項目についての状況を示す状況情報を受信する受信手順と、
前記状況情報が示す状況が予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理手順と、を実行させるためのプログラム。
【請求項２０】
請求項１９に記載のプログラムにおいて、
前記情報管理手順では、前記携帯端末に前記ユーザインタフェース情報および前記終了条件情報を送信した後に、前記携帯端末に搭載された電子マネーで物品が購入された旨の購入情報を受信すると、前記終了条件情報に示された終了条件と異なる特定終了条件を示した特定終了条件情報を、前記携帯端末に送信する、プログラム。
【請求項２１】
請求項１９または２０に記載のプログラムにおいて、
前記情報管理手順では、前記状況情報が示す状況が前記特定状況であると、前記ユーザインタフェース画面を利用する期間を問い合わせる旨の問合せ情報を、前記携帯端末に送信し、その後、前記問合せ情報に対する応答を受信すると、当該応答にて示された期間が経過したことを前記終了条件とし、当該終了条件を示す終了条件情報と、前記ユーザインタフェース情報とを、前記携帯端末に送信する、プログラム。
【請求項２２】
請求項２１に記載のプログラムにおいて、
前記情報管理手順では、前記応答にて示された期間に応じた特典を、前記携帯端末に送信する、プログラム。
【請求項２３】
ユーザインタフェース画面を表示可能なコンピュータに、
請求項１から４のいずれか１項に記載の情報配信装置に、予め定められた項目についての状況を示す状況情報を送信する送信手順と、
前記情報配信装置から、ユーザインタフェース画面を示すユーザインタフェース情報と前記ユーザインタフェース画面の表示を終了するための終了条件を示す終了条件情報とを受信すると、当該ユーザインタフェース情報に基づいて前記ユーザインタフェース画面を表示手段に表示し、その後、前記コンピュータが前記終了条件情報にて示された終了条件を満たすと、前記ユーザインタフェース画面の表示を終了する制御手順と、を実行させるためのプログラム。
【請求項２４】
請求項２３に記載のプログラムにおいて、
前記送信手順では、請求項２に記載の情報配信装置に前記状況情報を送信し、
前記制御手順では、前記情報配信装置から、前記終了条件情報に示された終了条件と異なる特定終了条件を示した特定終了条件情報を受信した場合、前記コンピュータが前記特定終了条件情報にて示された特定終了条件を満たすと、前記ユーザインタフェース画面の表示を終了する、プログラム。
【請求項２５】
請求項２３に記載のプログラムにおいて、
前記送信手順では、請求項３または４に記載の情報配信装置に前記状況情報を送信し、
前記制御手順では、前記情報配信装置から、前記ユーザインタフェース画面を利用する期間を問い合わせる旨の問合せ情報を受信すると、前記期間を問い合わせる旨の問合せを出力し、その後、前記期間を示す期間情報を受け付けると、当該期間を示す応答を前記情報配信装置に送信する、プログラム。
【発明の詳細な説明】
【技術分野】
【０００１】
本発明は、情報配信装置、携帯端末、情報配信システム、情報配信方法、ユーザインタフェース設定方法およびプログラムに関する。
【背景技術】
【０００２】
携帯電話機等の携帯端末では、ユーザの好みに応じて、メニュー画面などのユーザインタフェース画面を変更することが可能である。
【０００３】
携帯端末のメニュー画面を変更する手法としては、ユーザが携帯端末にプリインストールされている機能を使用してメニュー画面を変更する手法と、ユーザが携帯端末を専用サイトに接続して専用サイトから好みのメニュー画面を携帯端末にダウンロードする手法とがある。
【０００４】
専用サイトからのデータのダウンロードに関連する技術として、特許文献１には、移動体通信機器とデータ配信サーバとを有する配信データ管理システムが記載されている。
【０００５】
このデータ配信サーバは、移動体通信機器からデータを要求されると、要求されたデータと、要求されたデータを利用可能な期間またはエリアに関する情報とを、移動体通信機器に送信する。この移動体通信機器は、現在時刻が、データを利用可能な期間を経過している場合、または、現在位置が、データを利用可能なエリアから外れている場合に、データ配信サーバからのデータを削除する。
【０００６】
一方、携帯端末を利用したサービスを提供する事業者は、店舗やテーマパークなどの自らサービスを提供する空間にユーザがいるとき、または、現在時刻がサービスを提供可能な時間帯であるとき等に、ユーザがよりサービスを受けやすい環境をユーザに提供することを望んでいる。
【０００７】
そのための手法として、サービス事業者の主導のもとで、ユーザが有する携帯端末のユーザインタフェース画面を、ユーザがサービスを受けやすいユーザインタフェース画面に変更する手法が求められている。サービス事業者の主導のもとでユーザインタフェース画面を変更する場合には、ユーザインタフェース画面を携帯端末に設定するためのユーザインタフェース情報を、携帯端末にＰｕｓｈ（プッシュ）配信する機能が必要となる。
【０００８】
特許文献２には、ユーザインタフェース情報を携帯端末にＰｕｓｈ配信するサーバが記載されている。
【先行技術文献】
【特許文献】
【０００９】
【特許文献１】特開２００６−１１９７６８号公報
【特許文献２】特開２００８−１３１４３４号公報
【発明の概要】
【発明が解決しようとする課題】
【００１０】
携帯端末のメニュー画面を変更する手法、および、特許文献１に記載のデータ配信手法では、携帯端末のユーザインタフェース画面を変更するためには、ユーザが自ら携帯端末を操作する必要がある。このため、サービス事業者の主導のもとで、携帯端末のユーザインタフェース画面を変更することはできない。
【００１１】
一方、特許文献２に記載のサーバは、ユーザインタフェース情報を携帯端末にＰｕｓｈ配信する。このため、サービス事業者は、特許文献２に記載のサーバを使用すれば、サービス事業者の主導のもとで、携帯端末のユーザインタフェース画面を、ユーザがサービスを受けやすいユーザインタフェース画面に変更することが可能になる。
【００１２】
しかしながら、特許文献２に記載の技術では、携帯端末は、Ｐｕｓｈ配信されたユーザインタフェース情報に応じたユーザインタフェース画面を、新たなユーザインタフェース情報を受信するまで表示し続けることになる。
【００１３】
Ｐｕｓｈ配信されたユーザインタフェース情報に応じたユーザインタフェース画面は、ユーザの意思とは関係なく、サービス事業者によって設定された画面である。このため、Ｐｕｓｈ配信されたユーザインタフェース情報に応じたユーザインタフェース画面が必要以上に表示され続ける場合、ユーザ自身がユーザインタフェース画面を変更するという余分な作業を行う必要が生じるという課題が生じる。
【００１４】
本発明の目的は、上述した課題を解決可能な、情報配信装置、携帯端末、情報配信方法、ユーザインタフェース設定方法およびプログラムを提供することである。
【課題を解決するための手段】
【００１５】
本発明の情報配信装置は、携帯端末から、予め定められた項目についての状況を示す状況情報を受信する受信手段と、前記受信手段にて受信された状況情報が示す状況が、予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理手段と、を含む。
【００１６】
本発明の携帯端末は、ユーザインタフェース画面を表示可能な携帯端末であって、表示手段と、上記情報配信装置に、予め定められた項目についての状況を示す状況情報を送信する送信手段と、前記情報配信装置から、ユーザインタフェース画面を示すユーザインタフェース情報と前記ユーザインタフェース画面の表示を終了するための終了条件を示す終了条件情報とを受信すると、当該ユーザインタフェース情報に基づいて前記ユーザインタフェース画面を前記表示手段に表示し、その後、自端末が前記終了条件情報にて示された終了条件を満たすと、前記ユーザインタフェース画面の表示を終了する制御手段と、を含む。
【００１７】
本発明の情報配信システムは、情報配信装置と、ユーザインタフェース画面を表示可能な携帯端末と、を含む情報配信システムであって、前記情報配信装置は、前記携帯端末から、予め定められた項目についての状況を示す状況情報を受信する受信手段と、前記受信手段にて受信された状況情報が示す状況が、予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理手段と、を含み、前記携帯端末は、表示手段と、前記情報配信装置に、前記状況情報を送信する送信手段と、前記情報配信装置から、前記ユーザインタフェース情報と前記終了条件情報とを受信すると、当該ユーザインタフェース情報に基づいて前記ユーザインタフェース画面を前記表示手段に表示し、その後、自端末が前記終了条件情報にて示された終了条件を満たすと、前記ユーザインタフェース画面の表示を終了する制御手段と、を含む。
【００１８】
本発明の情報配信方法は、情報配信装置での情報配信方法であって、携帯端末から、予め定められた項目についての状況を示す状況情報を受信する受信ステップと、前記状況情報が示す状況が、予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理ステップと、を含む。
【００１９】
本発明のユーザインタフェース設定方法は、ユーザインタフェース画面を表示可能な携帯端末でのユーザインタフェース設定方法であって、上記情報配信装置に、予め定められた項目についての状況を示す状況情報を送信する送信ステップと、前記情報配信装置から、ユーザインタフェース画面を示すユーザインタフェース情報と前記ユーザインタフェース画面の表示を終了するための終了条件を示す終了条件情報とを受信すると、当該ユーザインタフェース情報に基づいて前記ユーザインタフェース画面を表示手段に表示し、その後、自端末が前記終了条件情報にて示された終了条件を満たすと、前記ユーザインタフェース画面の表示を終了する制御ステップと、を含む。
【００２０】
本発明のプログラムは、コンピュータに、携帯端末から、予め定められた項目についての状況を示す状況情報を受信する受信手順と、前記状況情報が示す状況が予め定められた特定状況であると、ユーザインタフェース画面を示すユーザインタフェース情報と、前記ユーザインタフェース画面の表示を終了するための終了条件を示す終了条件情報とを、前記携帯端末に送信する情報管理手順と、を実行させるためのプログラムである。
【００２１】
本発明のプログラムは、ユーザインタフェース画面を表示可能なコンピュータに、上記情報配信装置に、予め定められた項目についての状況を示す状況情報を送信する送信手順と、前記情報配信装置から、ユーザインタフェース画面を示すユーザインタフェース情報と前記ユーザインタフェース画面の表示を終了するための終了条件を示す終了条件情報とを受信すると、当該ユーザインタフェース情報に基づいて前記ユーザインタフェース画面を表示手段に表示し、その後、前記コンピュータが前記終了条件情報にて示された終了条件を満たすと、前記ユーザインタフェース画面の表示を終了する制御手順と、を実行させるためのプログラムである。
【発明の効果】
【００２２】
本発明によれば、サービス事業者の主導のもとで、携帯端末のユーザインタフェース画面を必要な期間変更することが可能になり、ユーザの作業負担を増やすことを防止可能になる。
【図面の簡単な説明】
【００２３】
【図１】本発明の第１実施形態の情報配信システムを示したブロック図である。
【図２】第１実施形態の情報配信システムの動作を説明するためのブロック図である。
【図３】第１実施形態の情報配信システムの動作を説明するためのフローチャートである。
【図４】ライフサイクル情報の一例を示した説明図である。
【図５】第２実施形態の情報配信システムの動作を説明するためのブロック図である。
【図６】第２実施形態の情報配信システムの動作を説明するためのブロック図である。
【図７】第２実施形態の情報配信システムの動作を説明するためのフローチャートである。
【発明を実施するための形態】
【００２４】
以下、本発明の実施形態を説明する。
【００２５】
（第１実施形態）
図１は、本発明の第１実施形態の情報配信装置の一例であるユーザインタフェース情報管理サーバ（以下、単に「サーバ」と称する）１と、携帯端末２と、を含む情報配信システムを示したブロック図である。
【００２６】
図１において、サーバ１は、コンテキスト情報受信部（以下、単に「受信部」と称する）１１と、情報管理部１２と、を含む。情報管理部１２は、ライフサイクル管理部（以下、単に「管理部」と称する）１２ａと、ユーザインタフェース情報管理／送信部（以下、単に「管理／送信部」と称する）１２ｂと、格納部１２ｃと、を含む。
【００２７】
受信部１１は、一般的に受信手段と呼ぶことができる。
【００２８】
受信部１１は、携帯端末２から送信されたコンテキスト（状況）情報を受信する。コンテキスト（状況）情報は、予め定められた項目についての状況を示す状況情報と呼ぶことができる。本実施形態では、コンテキスト情報として、携帯端末２の現在位置（項目）を示す位置情報が用いられる。なお、項目は、携帯端末２の現在位置に限らず適宜変更可能である。
【００２９】
情報管理部１２は、一般的に情報管理手段と呼ぶことができる。
【００３０】
情報管理部１２は、受信部１１にて受信された位置情報が示す位置が、予め定められたエリア内（予め定められた特定状況）であると、ユーザインタフェース画面を示すユーザインタフェース情報と、ユーザインタフェース画面の表示を終了するための条件（以下「終了条件」と称する）を示すライフサイクル情報とを、携帯端末２に送信する。ライフサイクル情報は、終了条件情報の一例である。終了条件は、例えば、携帯端末２の位置が予め定められた領域外であるときにユーザインタフェース画面の表示を終了することを示す領域条件を含む。
【００３１】
なお、ユーザインタフェース情報とライフサイクル情報とは、格納手段の一例である格納部１２ｃに予め格納されていてもよい。また、受信部１１にて受信された位置情報が示す位置が予め定められたエリア内である場合に、情報管理部１２が、ユーザインタフェース情報とライフサイクル情報とを生成してもよい。
【００３２】
また、情報管理部１２は、位置情報が示す位置がエリア内であると、ユーザインタフェース画面を利用する期間を問い合わせる旨の問合せ情報（以下、単に「問合せ情報」と称する）を、携帯端末２に送信する。情報管理部１２は、問合せ情報に対する応答を受信すると、その応答にて示された期間が経過した際にユーザインタフェース画面の表示を終了することを示す期間条件を生成する。情報管理部１２は、その期間条件を終了条件として示す終了条件情報とユーザインタフェース情報とを、携帯端末２に送信し、かつ、その応答にて示された期間に応じた特典（例えば、電子クーポン券）を、インセンティブとして、携帯端末２に送信して携帯端末２のユーザに与えてもよい。なお、特典は、電子クーポン券に限らず、期限延長データなどの電子情報の特典であればよく、適宜変更可能である。
【００３３】
管理部１２ａは、携帯端末２に送信するライフサイクル情報を管理する。
【００３４】
管理／送信部１２ｂは、格納部１２ｃ内にユーザインタフェース情報とライフサイクル情報とを互いに関連づけて格納し、格納部１２ｃ内のユーザインタフェース情報とライフサイクル情報とを、プッシュ（Ｐｕｓｈ）型で携帯端末２に送信する。
【００３５】
なお、サーバ１は、例えばコンピュータであり、コンピュータであるサーバ１が、コンピュータが読み取り可能な記録媒体に記録されたプログラムを読み取り実行することにより、受信部１１および情報管理部１２として機能する。なお、受信部１１と情報管理部１２のそれぞれは、専用のハードウェアにより実現されてもよい。
【００３６】
携帯端末２は、例えば、携帯電話機またはＰＤＡ（Personal Digital Assistants）であり、表示部２１と、送信部２２と、制御部２３と、を含む。送信部２２は、ＧＰＳ（Global Positioning System）２２ａと、非接触ＩＣ（Integrated Circuit）カード２２ｂと、タイマ２２ｃと、コンテキスト処理部（以下、単に「処理部」と称する）２２ｄと、コンテキスト情報送信部（以下、単に「送信部」と称する）２２ｅと、を含む。制御部２３は、ユーザインタフェース情報受信／管理部（以下、単に「受信／管理部」と称する）２３ａと、格納部２３ｂと、ライフサイクル管理部２３ｃと、を含む。
【００３７】
表示部２１は、一般的に表示手段と呼ぶことができる。表示部２１は、例えば、種々の画面（例えば、複数種類のユーザインタフェース画面）を択一的に表示する。
【００３８】
送信部２２は、一般的に送信手段と呼ぶことができる。送信部２２は、コンテキスト情報の一例である携帯端末２の現在位置を示す位置情報を、サーバ１に送信する。
【００３９】
ＧＰＳ２２ａは、ＧＰＳ信号を用いて現在位置を検出し、現在位置を示す位置情報を、処理部２２ｄに出力する。
【００４０】
非接触ＩＣカード２２ｂは、電子マネーを搭載し、この電子マネーを用いた物品の購入を可能にする。非接触ＩＣカード２２ｂは、例えば、電子マネーの残額を示す残額情報を、処理部２２ｄに出力する。
【００４１】
タイマ２２ｃは、現在時刻を示す時刻情報を、処理部２２ｄに出力する。
【００４２】
処理部２２ｄは、ＧＰＳ２２ａからの位置情報、非接触ＩＣカード２２ｂからの残額情報、および、タイマ２２ｃからの時刻情報のそれぞれを、コンテキスト情報として受け付ける。処理部２２ｄは、位置情報と残額情報と時刻情報とを、制御部２３（具体的には、管理部２３ｃ）に出力し、位置情報を、送信部２２ｅに出力する。
【００４３】
送信部２２ｅは、処理部２２ｄから受け付けた位置情報を、例えば、一定時間間隔で、サーバ１に送信する。
【００４４】
制御部２３は、一般的に制御手段と呼ぶことができる。
【００４５】
制御部２３は、サーバ１から、ユーザインタフェース情報とライフサイクル情報とを受信すると、ユーザインタフェース情報に基づいてユーザインタフェース画面を表示部２１に表示する。制御部２３は、その後、携帯端末２がライフサイクル情報にて示された終了条件を満たすと、ユーザインタフェース画面の表示を終了する。
【００４６】
なお、制御部２３は、サーバ１から、問合せ情報を受信すると、ユーザインタフェース画面を利用する期間を問い合わせる旨の問合せを表示部２１に表示（出力）し、その後、期間を示す期間情報をユーザから受け付けると、その期間を示す応答をサーバ１に送信する。
【００４７】
受信／管理部２３ａは、サーバ１から、ユーザインタフェース情報とライフサイクル情報とを受信すると、そのユーザインタフェース情報とライフサイクル情報とを格納部２３ｂに格納する。受信／管理部２３ａは、ライフサイクル情報に基づいて、ユーザインタフェース情報を管理する。受信／管理部２３ａは、格納部２３ｂ内のユーザインタフェース情報とライフサイクル情報とを管理部２３ｃに出力する。
【００４８】
管理部２３ｃは、受信／管理部２３ａからユーザインタフェース情報とライフサイクル情報とを受け付けると、ユーザインタフェース情報に従ってユーザインタフェース画面を表示部２１に表示する。
【００４９】
また、管理部２３ｃは、処理部２２ｄからの情報（位置情報と残額情報と時刻情報）によって表される携帯端末２の状況がライフサイクル情報にて示された終了条件を満たすと、ユーザインタフェース画面の表示を終了する。
【００５０】
なお、受信／管理部２３ａは、サーバ１から問合せ情報を受信すると、その問合せ情報を管理部２３ｃに出力する。管理部２３ｃは、問合せ情報を受け付けると、ユーザインタフェース画面を利用する期間を問い合わせる旨の問合せを表示部２１に表示し、その後、期間を示す期間情報を、入力部（不図示）等を介してユーザから受け付けると、その期間情報を受信／管理部２３ａに出力する。受信／管理部２３ａは、管理部２３ｃから期間情報を受け付けると、期間情報にて示された期間を示す応答をサーバ１に送信する。
【００５１】
携帯端末２は、例えばコンピュータであり、コンピュータである携帯端末２が、コンピュータが読み取り可能な記録媒体に記録されたプログラムを読み取り実行することにより、送信部２２および制御部２３として機能する。なお、送信部２２と制御部２３のそれぞれは、専用のハードウェアにより実現されてもよい。
【００５２】
次に、動作を説明する。
【００５３】
図２は、ＡＢＣパーク（テーマパーク）などのサービス提供施設の運営者が、携帯端末２がＡＢＣパーク内に存在するときだけ有効となる起動メニュー（ユーザインタフェース画面）を、サーバ１から携帯端末２に配信する場合の動作を説明するためのブロック図である。図３は、サーバ１と携帯端末２の動作を説明するためにフローチャートである。図２および３において、図１に示したものと同一構成のものには同一符号を付してある。
【００５４】
携帯端末２を携帯しているユーザが、エリア２０１に入ると、携帯端末２では、送信部２２ｅが、処理部２２ｄから受け付けたコンテキスト情報（ここでは位置情報）を、サーバ１に通知する（ステップ３０１）。通知タイミングは、一定間隔ごとに行うことが考えられる。
【００５５】
なお、非接触ＩＣカード２２ｂが入場券情報を格納している場合、携帯端末２は、ＡＢＣパークの入場ゲートを介して、入場券情報をサーバ１に通知してもよい。この場合、サーバ１は、ＡＢＣパークの入場ゲートを介して、入場券情報を受信することによって、携帯端末２を携帯しているユーザがＡＢＣパークのエリア２０１内にいると判定する。
【００５６】
サーバ１では、受信部１１がエリア２０１内を示す位置情報を受信すると、管理部１２ａは、携帯端末２を携帯しているユーザがＡＢＣパークのエリア２０１内にいると判定し、サービスに適合したライフサイクル情報を生成する（ステップ３０７）。
【００５７】
図４は、ライフサイクル情報のフォーマットを示した図である。
【００５８】
図４に示すように、ライフサイクル情報には、携帯端末２にダウンロードされるユーザインタフェース情報（ここでは起動メニュー画面を示す情報）の扱いを決定するための情報（対象ユーザインタフェース（Ｉ／Ｆ）名と、判定条件、ライフサイクル動作）が記述されている。
【００５９】
対象ユーザインタフェース（Ｉ／Ｆ）名は、ライフサイクル情報にて扱いが決定されるユーザインタフェース情報の名称である。
【００６０】
判定条件は、終了条件の一例であり、ユーザインタフェース画面の表示を終了するための携帯端末２のコンテキスト（状況：例えば、日時、位置、非接触ＩＣカードの情報）を示す。
【００６１】
サービス提供者（サービス提供施設の運営者）が特定の場所でサービスを提供する場合、判定条件は、例えば、携帯端末２がその特定の場所から離れた状況を示す。
【００６２】
また、サービス提供者が特定の時間帯でサービスを提供する場合、判定条件は、例えば、携帯端末２がカウントしている時刻がその特定の時間帯から外れた状況を示す。
【００６３】
また、サービス提供者が商品を販売するサービスを提供する場合、判定条件は、例えば、携帯端末２が搭載している電子マネーの残高がある値（例えば、５００円）以下になった状況を示す。
【００６４】
なお、これらの判定条件は、サーバ１内にデフォルトとして格納されてもよいし、管理部１２ａによって生成されてもよい。
【００６５】
管理部１２ａが判定条件を生成する状況では、管理部１２ａが、携帯端末２からさらにユーザの属性情報（例えば、年齢）を受け付け、そのユーザの属性情報に応じて、判定条件を変更するようにしてもよい。例えば、ユーザの年齢に応じて、ユーザインタフェース画面の表示を終了するための基準となる電子マネーの残高を変更してもよい。
【００６６】
ライフサイクル動作は、ユーザインタフェース画面の表示を終了するための動作（例えば、削除動作、機能停止動作、表示切替動作）を示す。
【００６７】
本実施形態では、判定条件として、携帯端末がＡＢＣパークのエリア２０１をはずれたことを示す。ライフサイクル動作は、ユーザインタフェース画面の削除を示す。このため、携帯端末がＡＢＣパークのエリア２０１をはずれた場合、起動メニュー（ユーザインタフェース画面）が削除される。
【００６８】
サーバ１では、管理／送信部１２ｂが、ライフサイクル情報とユーザインタフェース情報を合わせて携帯端末２に送信する（ステップ３０８）。
【００６９】
携帯端末２では、受信／管理部２３ａが、サーバ１から送信されたライフサイクル情報およびユーザインタフェース情報を受信すると（ステップ３０２）、管理部２３ｃは、受信／管理部２３ａにて受信されたライフサイクル情報およびユーザインタフェース情報に従って、エリア２０１内でしか使うことができない起動メニュー（ユーザインタフェース画面）を、他のユーザインタフェース画面に替えて、表示部２１に表示する（ステップ３０３）。
【００７０】
その後、携帯端末２を携帯しているユーザが、ＡＢＣパークのエリア２０１からはずれた場合には（ステップ３０４）、携帯端末２では、管理部２３ｃが、ライフサイクル情報の記述に従って処理を行い、起動メニューの削除を行う（ステップ３０５）。
【００７１】
携帯端末２を携帯しているユーザがＡＢＣパークのエリア２０１からはずれたか否かは、例えば、ＧＰＳ２２ａからの位置情報に基づいて判定される。
【００７２】
なお、非接触ＩＣカード２２ｂが入場券情報を格納している場合、携帯端末２は、ＡＢＣパークの退場ゲートに入場券情報を通知することによって、携帯端末２を携帯しているユーザがＡＢＣパークのエリア２０１からはずれたと判定してもよい。
【００７３】
本実施形態によれば、サーバ１内の情報管理部１２は、受信部１１にて受信された位置情報が示す位置が、予め定められたエリア内であると、ユーザインタフェース情報とライフサイクル情報とを、携帯端末２に送信する。携帯端末２内の制御部２３は、サーバ１から、ユーザインタフェース情報とライフサイクル情報とを受信すると、ユーザインタフェース情報に基づいてユーザインタフェース画面を表示部２１に表示する。その後、携帯端末２がライフサイクル情報にて示された終了条件を満たすと、制御部２３は、ユーザインタフェース画面の表示を終了する。
【００７４】
このため、サービス事業者が、自ら制御の下で、携帯端末に起動メニューなどを示すユーザインタフェース情報をダウンロードして実行させることが可能になる。
【００７５】
また、ユーザが現在利用中のユーザインタフェース画面を利用できるエリアを離れた場合など、サービス事業者が意図的にユーザインタフェース情報を削除したい場合に、サービス事業者が、自ら制御の下で、ユーザインタフェース情報を削除することが可能になる。
【００７６】
また、終了条件が、携帯端末２の位置が予め定められた領域外であるときにユーザインタフェース画面の表示を終了することを示す領域条件を含む場合、例えば、携帯端末２がサービス提供領域外にいるときでも、ライフサイクル情報で記述されたタイミングで起動メニュー（ユーザインタフェース画面）を削除することが可能になる。
【００７７】
また、情報管理部１２は、ユーザからの応答にて示された期間が経過したことを終了条件とすることができる。このため、終了条件をユーザが決めることが可能になる。
【００７８】
また、情報管理部１２が、ユーザからの応答にて示された期間に応じた特典を、インセンティブとして、携帯端末２のユーザに与えてもよい。この場合、例えば、ユーザが、長い期間、ユーザインタフェース情報に応じたユーザインタフェース画面を使用することを促すことが可能になる。
【００７９】
（第２実施形態）
次に、本発明の第２実施形態の情報配信システムについて説明する。
【００８０】
第２実施形態の情報配信システム内のサーバ１および携帯端末２の構成は、基本的に第１実施形態のサーバ１および携帯端末２と同様であるが、携帯端末２内の非接触ＩＣカード２２ｂにて物品が購入された際に、ユーザインタフェース情報に応じたユーザインタフェース画面の表示期間を長くする点が、第１実施形態と異なる。以下、第２実施形態の情報配信システムについて、第１実施形態と異なる点を中心に説明する。
【００８１】
図５〜図７を用いて、第２実施形態の情報配信システム内のサーバ１および携帯端末２の構成および動作の流れを説明する。本実施形態では、携帯端末２を携帯しているユーザが、エリア（ＸＹＺショップ）５０１にいるときに、携帯端末に内蔵されている非接触ＩＣカード機能を使用して物品を購入することを想定している。
【００８２】
まず、携帯端末２を携帯しているユーザが、ＸＹＺショップのエリア５０１内に入ると、携帯端末２は、第１実施形態で説明したように、コンテキスト情報（位置情報）を、サーバ１に通知する。サーバ１は、第１実施形態で説明したように、コンテキスト情報（位置情報）を受信すると、ライフサイクル情報とユーザインタフェース情報を合わせて携帯端末２に送信する（ステップ７０５）。携帯端末２は、サーバ１から送信されたユーザインタフェース情報およびライフサイクル情報を取得する（ステップ７０１）。
【００８３】
携帯端末２は、第１実施形態で説明したように、ライフサイクル情報およびユーザインタフェース情報に従って、エリア５０１でしか使うことができない起動メニュー（ユーザインタフェース画面）を、他のユーザインタフェース画面に替えて、表示部２１に表示する（ステップ７０２）。ユーザインタフェース画面は、具体的には、プレミアムなショップ専用起動メニュー画面などである。
【００８４】
携帯端末２のユーザが、非接触ＩＣカード２２ｂに搭載された電子マネーを使ってＸＹＺショップで物品を購入するために、ＰＯＳ（Point of sale）端末５０２に接続されているリーダ５０２ａに携帯端末２をタッチすると（ステップ７０３）、携帯端末２に搭載された電子マネーで物品が購入された旨の購入情報が、物品購入サーバ３に通知される。
【００８５】
購入が確認されると、物品購入サーバ３は、その購入情報をサーバ１に通知する。サーバ１では、管理部１２ａは、物品購入サーバ３から購入情報を受信すると（ステップ７０６）、その購入情報に従って、送信済みのライフサイクル情報が示す終了条件と異なる特定終了条件（例えば、ライフサイクル情報の表示期間が、終了条件が示す表示期間よりも長いことを示す条件）を示した特定終了条件情報を生成する。管理部１２ａは、ライフサイクル情報を特定終了条件情報に更新する（ステップ７０７）。
【００８６】
管理／送信部１２ｂは、ユーザインタフェース情報と更新後のライフサイクル情報（特定終了条件情報）を、携帯端末２に送信する（ステップ７０８）。
【００８７】
このとき、送信済みのユーザインタフェース情報と異なるユーザインタフェース情報（以下「新たなユーザインタフェース情報」と称する）が、インセンティブとして送信されてもよい。
【００８８】
新たなユーザインタフェース情報にて示されるユーザインタフェース画面では、例えば、送信済みのユーザインタフェース情報にて示されるユーザインタフェース画面では表示されなかったキャラクタやアプリケーションが表示される。
【００８９】
携帯端末２では、受信／管理部２３ａは、ユーザインタフェース情報と更新後のライフサイクル情報（特定終了条件情報）を受信すると、格納部２３ｂ内のライフサイクル情報を、更新後のライフサイクル情報に書き換え、また、更新後のライフサイクル情報を管理部２３ｃに出力する。
【００９０】
管理部２３ｃは、ユーザインタフェース情報と更新後のライフサイクル情報を受け付けると、ユーザインタフェース情報に応じたユーザインタフェース画面を表示部２１に表示する（図６参照）。
【００９１】
続いて、管理部２３ｃは、更新前のライフサイクル情報が示す終了条件を、更新後のライフサイクル情報が示す特定終了条件に更新する。続いて、管理部２３ｃは、更新後の特定終了条件に従って、第１実施形態と同様に、ユーザインタフェース画面の終了タイミングを制御する。よって、携帯端末２にあるプレミアムなショップ専用起動メニューの利用期間が更新される。
【００９２】
本実施形態によれば、サーバ１内の情報管理部１２は、携帯端末２にユーザインタフェース情報およびライフサイクル情報を送信した後に、購入情報を受信すると、特定終了条件情報である更新後のライフサイクル情報を、携帯端末２に送信する。携帯端末２では、制御部２３は、サーバ１から更新後のライフサイクル情報を受信した場合、自端末が更新後のライフサイクル情報にて示された特定終了条件を満たすと、ユーザインタフェース画面の表示を終了する。
【００９３】
この場合、サービス事業者は、ユーザインタフェース画面を利用できる期間を動的に延長することが可能になる。
【００９４】
なお、携帯端末２は、以前に取得されたユーザインタフェース情報を用いてもよいし、ライフサイクル情報と同時に取得されたユーザインタフェース情報を用いてもよい。
【００９５】
以上説明した各実施形態において、図示した構成は単なる一例であって、本発明はその構成に限定されるものではない。
【符号の説明】
【００９６】
１      ユーザインタフェース情報管理サーバ
１１    コンテキスト情報受信部
１２    情報管理部
１２ａ  ライフサイクル管理部
１２ｂ  ユーザインタフェース情報管理／送信部
１２ｃ  格納部
２      携帯端末
２１    表示部
２２    送信部
２２ａ  ＧＰＳ
２２ｂ  非接触ＩＣカード
２２ｃ  タイマ
２２ｄ  コンテキスト処理部
２２ｅ  コンテキスト情報送信部
２３    制御部
２３ａ  ユーザインタフェース情報受信／管理部
２３ｂ  格納部
２３ｃ  ライフサイクル管理部
３      物品購入サーバ
５０２  ＰＯＳ
５０２ａ  リーダ
【図１】
2010250729.tif 000003
【図２】
2010250729.tif 000004
【図３】
2010250729.tif 000005
【図４】
2010250729.tif 000006
【図５】
2010250729.tif 000007
【図６】
2010250729.tif 000008
【図７】
2010250729.tif 000009